(57)【特許請求の範囲】
【請求項１】
事務機器の装置本体へ取り付けられる底板とこの底板の両側より立設させたところの両側板を有する取付部材と、上板とこの上板の両側の一部より垂設されたところの下端部側に内側へ折り曲げた抱持片を有する両側板を有し、この両側板の抱持片を設けてない部分を前記取付部材の両側板の外側へ第１ヒンジピンを介して回動可能に連結して成る原稿圧着板を支持する支持部材と、前記原稿圧着板を取り付ける上板とこの上板の両側より垂設した両側板を有し、この両側板を前記支持部材の両側板の外側の自由端側へ第２ヒンジピンを介して前記支持部材の回動方向とは逆方向へ回動可能に連結したリフト部材と、前記取付部材の両側板の間に設けられた固定ピンと、前記リフト部材の両側板の間に設けられた作動ピンと、前記支持部材の両側板の自由端側に前記作動ピンの旋回軌跡に合わせて設けた湾曲溝と、一端部側を前記固定ピンに当接させ前記支持部材の前記両側板の間に前記抱持片に抱えられて摺動可能に設けられた第２スライダーと、その一端部側を前記作動ピンに当接し前記支持部材の両側板の間に前記抱持片に抱えられて摺動可能に設けられた第１スライダーと、前記第２スライダーと前記第１スライダーとの間に弾設された圧縮コイルスプリングとから成り、
前記第２スライダーは、前記固定ピン側に当該固定ピンのとくにコンタクトガラス側の軸方向を覆う幅を有する延出片と、この延出片の基部に続いて設けられた前記固定ピン側に暫時傾斜した傾斜部とこの傾斜部に続いて設けられた突部とこの突部に続いて設けられた凹部とを有するものとし、前記原稿圧着板の所定の開閉角度までは前記延出片が前記固定ピンのコンタクトガラス側を覆い、前記原稿圧着板を全開状態にした際には、前記支持部材の後部が前記取付部材側に当接して当該支持部材のそれ以上の回動を阻止し、前記第２スライダーが前記固定ピンより離れ前記当該第２スライダーの凹部が前記第１ヒンジピンと当接するように成したことを特徴とする、原稿圧着板開閉装置。
【請求項２】
前記取付部材の両側板の外側に前記支持部材の両側板が第１ヒンジピンによって回動可能に連結されると共に、前記取付部材の両側板の側部には、湾曲凹部が設けられ、前記原稿圧着板を閉じた際に前記湾曲凹部へ前記支持部材の抱持片の側が嵌入するように構成されていることを特徴とする、請求項１に記載の原稿圧着板開閉装置。
【発明の詳細な説明】
【技術分野】
【０００１】
この発明は、複写機、印刷機、ファクシミリ、スキャナー等の事務機器に用いて好適な原稿圧着板開閉装置に関するものである。
【背景技術】
【０００２】
複写機、印刷機、ファクシミリ、スキャナー等の事務機器の装置本体には、その装置本体の上面後部に対し原稿圧着板が原稿圧着板開閉装置を介して回動可能に取り付けられている。この原稿圧着板開閉装置は、一種のヒンジ機構であり、下記特許文献１に記載されたように、原稿圧着板をヒンジ軸まわりに回動可能に軸支して、装置本体の上面のコンタクトガラス面上に原稿圧着板を密着させることができると共に、そのコンタクトガラス上面を露出させることができる。原稿をコンタクトガラス面上にセットするには、原稿圧着板を回動させて（上方に開いて）コンタクトガラス面を露出（開放）させ、そのコンタクトガラスの面上に原稿を載置した後、原稿圧着板を回動させて（下方に閉じて）、原稿圧着板で原稿をコンタクトガラス面上に圧着させるものである。
【先行技術文献】
【特許文献】
【０００３】
【特許文献１】特開平１１−９５３３９号公開特許公報
【発明の概要】
【発明が解決しようとする課題】
【０００４】
上記公知構成の事務機器においては、原稿圧着板を開くと、当該原稿圧着板を装置本体へ開閉可能に取り付けている原稿圧着板開閉装置の内部構造、とくに取付部材の両側板間に取り付けた固定ピンの部分が外部へ露出することになる。しかるに、この固定ピンの部分には、スライダーのカム面との摺接を円滑にする潤滑用のグリスが塗布されていることから、コンタクトガラス上へ載置した原稿の端部がコンタクトガラスよりはみ出してグリスを塗布させた固定ピンに接触して汚してしまうという問題が生じた。この発明は上述した問題点を解決するためになされたものであり、その目的とするところは、原稿圧着板を開いて原稿をコンタクトガラス上に載置させた際に、当該原稿の端部がグリスを塗布させた固定ピンに接触して汚れてしまわないように工夫した、原稿圧着板開閉装置を提供せんとするにある。
【課題を解決するための手段】
【０００５】
前記目的を達成するためにこの発明の原稿圧着板開閉装置は、事務機器の装置本体へ取り付けられる底板とこの底板の両側より立設させたところの両側板を有する取付部材と、上板とこの上板の両側の一部より垂設されたところの下端部側に内側へ折り曲げた抱持片を有する両側板を有し、この両側板の抱持片を設けてない部分を前記取付部材の両側板の外側へ第１ヒンジピンを介して回動可能に連結して成る原稿圧着板を支持する支持部材と、前記原稿圧着板を取り付ける上板とこの上板の両側より垂設した両側板を有し、この両側板を前記支持部材の両側板の外側の自由端側へ第２ヒンジピンを介して前記支持部材の回動方向とは逆方向へ回動可能に連結したリフト部材と、前記取付部材の両側板の間に設けられた固定ピンと、前記リフト部材の両側板の間に設けられた作動ピンと、前記支持部材の両側板の自由端側に前記作動ピンの旋回軌跡に合わせて設けた湾曲溝と、一端部側を前記固定ピンに当接させ前記支持部材の前記両側板の間に前記抱持片に抱えられて摺動可能に設けられた第２スライダーと、その一端部側を前記作動ピンに当接し前記支持部材の両側板の間に前記抱持片に抱えられて摺動可能に設けられた第１スライダーと、前記第２スライダーと前記第１スライダーとの間に弾設された圧縮コイルスプリングとから成り、
前記第２スライダーは、前記固定ピン側に当該固定ピンのとくにコンタクトガラス側の軸方向を覆う幅を有する延出片と、この延出片の基部に続いて設けられた前記固定ピン側に暫時傾斜した傾斜部とこの傾斜部に続いて設けられた突部とこの突部に続いて設けられた凹部とを有するものとし、前記原稿圧着板の所定の開閉角度までは前記延出片が前記固定ピンのコンタクトガラス側を覆い、前記原稿圧着板を全開状態にした際には、前記支持部材の後部が前記取付部材側に当接して当該支持部材のそれ以上の回動を阻止し、前記第２スライダーが前記固定ピンより離れ前記当該第２スライダーの凹部が前記第１ヒンジピンと当接するように成したことを特徴とする。
【０００６】
その際に本発明は、取付部材の両側板の外側に支持部材の両側板が第１ヒンジピンによって回動可能に連結されると共に、取付部材の両側板の側部には、湾曲凹部が設けられ、原稿圧着板を閉じた際に湾曲凹部へ前記支持部材の抱持片の側が嵌入するように構成されていることを特徴とする。
【発明の効果】
【０００７】
上述したように、本発明によれば、固定ピンと摺接する第１カムスライダーを有する原稿圧着板開閉装置において、コンタクトガラス上へ載置した原稿の端部が固定ピンに接触するのを防止する延出片を第２スライダーの下部側から固定ピンより前側に突出させて設けたことにより、原稿圧着板を開いた時に、固定ピンより前側に突出した延出片によって、コンタクトガラス上へ載置した原稿の端部がグリスを附着させた固定ピンの部分に接触して汚れてしまうのを防止することができ、原稿圧着板の全開成時には、支持部材の後端部が取付部材に当接して所定角度以上の回動を阻止し、その際に第２スライダーの傾斜部は固定ピンから離れ、当該第２スライダーの凹部が前記第１ヒンジピンと当接するものである。
【図面の簡単な説明】
【０００８】
【図１】この発明の原稿圧着板開閉装置の一例を示す側面図である。
【図２】この発明の原稿圧着板開閉装置の一例を示す側断面図である。
【図３】この発明の原稿圧着板開閉装置の一例を示す側面図である。
【図４】この発明の原稿圧着板開閉装置の一例を示す側断面図である。
【図５】この発明の原稿圧着板開閉装置の一例を示す側面図である。
【図６】この発明の原稿圧着板開閉装置の一例を示す側断面図である。
【図７】この発明の原稿圧着板開閉装置の一例を示す側断面図である。
【図８】この発明の取付部材の一例を示す図で、（ａ）は側面図、（ｂ）は平面図、（ｃ）は背面図である。
【図９】この発明の第２スライダーの一例を示す図で、（ａ）は側面図、（ｂ）は背面図、（ｃ）は正面図、（ｄ）は平面図である。
【発明を実施するための形態】
【０００９】
以下、この発明の原稿圧着板開閉装置を添付図面に基づいて詳述する。
【実施例１】
【００１０】
図１〜図７はこの発明の原稿圧着板開閉装置の一例を示す図である。この発明の原稿圧着板開閉装置は、複写機、印刷機、ファクシミリ、スキャナー等の事務機器の装置本体に、その装置本体の上面に対し原稿圧着板を回動可能に取り付ける一種のヒンジ機構である。この発明の原稿圧着板開閉装置は、図１〜図７に示すように、装置本体２に取り付けられる取付部材４と、その取付部材４に回動自在に連結され、原稿圧着板３に取り付けられてこれを支持する支持部材５とを備え、支持部材５が、通常使用時、原稿圧着板３を装置本体２の上面に接触する閉位置から最大使用開放位置まで回動し、かつ、支持部材５が、メンテナンス時、さらに最大使用開放位置から最大開放位置まで回動するものである。
【００１１】
取付部材４は、図８に示すように、装置本体２に取り付けられる底板４１と、底板４１の両側端部からそれぞれ底板４１に対して直交する方向（略直交する方向も含む）に延びる両側板４２と、底板４１の一端部（後端部）から底板４１に対して直交する方向（略直交する方向も含む）に延びる略矩形状の後板４３と、さらに図１乃至図７にも示したように、両側板４２の一側部に形成された湾曲凹部４４と、から構成され、両側板４２の後板４３側にストッパー部４８が設けられている。
【００１２】
底板４１は、略矩形状に形成され、ビス等で装置本体２に取り付けるための取付孔４５が設けられている。側板４２は、略Ｌ字状に形成され、底板４１に対して直交する方向（略直交する方向も含む）に立設された取付片４２ａの先端部（上部）に第１ヒンジピン孔４６が設けられている。取付片４２ａの第１ヒンジピン孔４６より底板４１側（下方）で、かつ、内側（前方）に偏した位置には固定ピン孔４７が設けられている。両取付片４２ａの固定ピン孔４７に固定ピン１３が挿通されている。また、取付片４２ａの先端面は、第１ヒンジピン孔４６と固定ピン孔４７とを結ぶ直線と略平行に延びる傾斜部４２ｂとして形成されている。
【００１３】
支持部材５は、図１〜図７に示すように、上板５１と、上板５１の両側端部からそれぞれ上板５１に対して直交する方向（略直交する方向も含む）に垂設された両側板５２と、側板５２の先端部を互いに対向する側に９０°折り曲げてなる抱持片５３と、から構成されている。上板５１の他端部（前端部）は、側板５２と反対方向に折り曲げて成る当接部５５が設けられている。
【００１４】
両側板５２の一端部（後端部）には、第２ヒンジピン１２が挿通される第２ヒンジピン孔（図示せず）が設けられていると共に、後述する作動ピン１４が入り込む切欠部５４が設けられている。両側板５２の他端部（前端部）には、第１ヒンジピン挿通孔（図示せず）が設けられている。両側板５２の第１ヒンジピン挿通孔と取付部材４の第１ヒンジピン孔４６とが軸合わせされてこれらの孔に第１ヒンジピン１１が挿通されることによって、支持部材５が取付部材４に第１ヒンジピン１１を軸に回動自在に連結されている。
【００１５】
支持部材５は、原稿圧着板３に取り付けられるが、原稿圧着板３に回動自在に取り付けられることが好ましい。このように、支持部材５が原稿圧着板３に回動自在に取り付けられることにより、厚さが厚い原稿も装置本体２の上面に安定して密着させることができる。また、支持部材５は、装置本体２に直接取り付けてもよいが、リフト部材６を介して原稿圧着板３に取り付けられることが特に好ましい。
【００１６】
リフト部材６は、原稿圧着板３の後端側にビス等で取り付けられる上板６１と、この上板６１の両端部からそれぞれ上板６１に対して直交する方向（略直交する方向も含む）に垂設された両側板６２とから成る略コ字状のものであって、支持部材５を覆うように形成されている。リフト部材６の一端部（後端部）の中央より上板６１側の箇所には第２ヒンジピン挿通孔（図示せず）が設けられていると共に、第２ヒンジピン挿通孔より他端部側で、かつ、中央より上板６１側とは反対側の箇所には作動部材、例えば作動ピン１４が挿通される作動ピン孔（図示せず）が設けられている。両側板６２の作動ピン孔に作動ピン１４が挿通されて固定されている。リフト部材６の両側板６２の第２ヒンジピン挿通孔と支持部材５の両側板５２の第２ヒンジピン孔とが軸合わせされてこれらの孔に第２ヒンジピン１２が挿通されることによって、リフト部材６が支持部材５の回動方向とは逆方向へ回動するように第２ヒンジピン１２によって連結されている。
【００１７】
支持部材５内には、一対の第１スライダー３１と第２スライダー３２が摺動可能に収装されている。この一対の第１スライダー３１と第２スライダー３２は、断面矩形の有底筒体状に形成されている。第１スライダー３１と第２スライダー３２は、互いの開口部が向き合うように支持部材５内にそれぞれ抱持片５３に抱えられることによって個別に摺動自在に収装されている。この一対の第１スライダー３１と第２スライダー３２との間に圧縮コイルスプリング２１が設けられている。すなわち、第１スライダー３１と第２スライダー３２の凹状の内部が圧縮コイルスプリング２１を収容するスプリング収容部３１ｃ、３２ｃとして形成されている。圧縮コイルスプリング２１は、１個でも２個以上でもよく、例えば２個並列、或は重合して設けられ、一対の第１スライダー３１と第２スライダー３２をそれぞれ互いに離間する方向に付勢するものである。
【００１８】
一対の第１スライダー３１と第２スライダー３２は、取付部材４の底板４１と支持部材５（上板５１）が略平行になっているとき（例えばこの発明の原稿圧着板開閉装置１を複写機等に取り付けた場合において装置本体２の上面のコンタクトガラス２ａ面上に原稿圧着板３を密着させたとき（原稿圧着板密着時））、支持部材５内に嵌合される長さで形成されている。
【００１９】
先端部側の第１スライダー３１の底面である閉塞面３１ａの外表面は平坦面に形成されている。この閉塞面３１ａが圧縮コイルスプリング２１の付勢力によって作動ピン１４を押圧して、支持部材５とリフト部材６とが重なり合うようになっている。
すなわち、圧縮コイルスプリング２１の付勢力によってリフト部材６の上板６１が支持部材５の当接部５５に当接して、支持部材５の上板５１とリフト部材６の上板６１とが略平行で、かつ近接するようになっている。
【００２０】
後端部側の第２スライダー３２の閉塞面の外表面の略中央部には、図１〜図７、図９に示すように、突部３３が設けられている。この突部３３は、支持部材５の上板５１に略平行に延びて形成されている。突部３３の抱持片５３側は漸次傾斜された傾斜部３４として形成され、背板５１側には凹部３２ａが形成されている。原稿圧着板密着時、突部３３が固定部材例えば固定ピン１３に当接し、リフト部材６が第２ヒンジピン１２を軸に回動することによって、固定ピン１３が当接する箇所が突部３３から傾斜部３４に徐々に摺動する。この固定ピン１３の外周には通常潤滑用のグリスが塗布されているが、第２スライダー３２の下部側から前記固定ピン１３より前側に突出させて延出片３８が設けられている。
【００２１】
装置本体２の上面のコンタクトガラス２ａ面上に原稿圧着板３が密着している状態（閉位置（図１及び図２参照））において支持部材５の、抱持片５３の部分が取付部材４の湾曲凹部４４内に嵌入し、延出片３８は固定ピン１３の回り、とくにコンタクトガラス２ａ側を覆っている。この状態から原稿圧着板３の手前側を手に持って、装置本体２の上面から離間する方向（上方）に第１ヒンジピン１１を軸に回動させると、固定ピン１３に当接する箇所が突部３３から傾斜部３４へと徐々に摺動すると共に、第２スライダー３２が圧縮コイルスプリング２１によって支持部材５内を後端部側へと押圧されて摺動し、圧縮コイルスプリング２１が徐々に伸びる。そして、原稿圧着板３が装置本体２の上面に対する最大使用開放位置になると（図３及び図４参照）、第２スライダー３２の両側に設けた突起部７１が、受け部７２の手前に落ち込む際のクリック感を原稿圧着板３を介して操作者の手に感じ取ることができる。勿論、ここのところはその他の公知構成の原稿圧着板回動規制機構（図示せず）によって規制しても良い。なお、図１〜図７、図９中、３８は延出片を示し、原稿圧着板３の最大使用開放角度において、図３と図４に示したように、延出片３８が、固定ピン１３のコンタクトガラス２ａ側の部分より前側に突出している。
【００２２】
原稿圧着板回動規制機構は、原稿圧着板３（支持部材５）の回動を規制するもので、原稿圧着板３の通常使用時における装置本体２の上面に対する最大使用開放角度を６０°〜７０°（略６０°〜略７０°）に規制するものである（図３及び図４参照）。また、原稿圧着板回動規制機構は、装置本体２の点検、修理等のメンテナンスを行う際にコンタクトガラス２ａを容易に取り外すことができるように、取付部材４の両側板に設けたストッパー部４８と支持部材５の断面Ｌ形状を呈した当接部５５によって、原稿圧着板３（支持部材５）の上面に対する最大開放角度を９０°に規制することができる最大開放機能を有している（図５及び図６参照）。尚、当接部５５は、これを支持部材５の他の個所としても良く、リフト部材６の側に設けても良い。また、原稿圧着板３の最大解放角度において、とくに図５に示したように、第２スライダー３２の凹部３２ａが第１ヒンジピン１１と当接し、第２スライダー３２の下降を阻止している。
【００２３】
トルク発生手段７は、支持部材５に作用するトルクを大きくできれば特に限定されず、例えば、弾性部材である前記の圧縮コイルスプリング２１と、第２スライダー３２に設けられた突起部７１と、取付部材４に設けられた受け部７２とから構成されている。
【００２４】
突起部７１は、第２スライダー３２の閉塞面の外表面の両側部が中央部より窪んだ段状に形成され、この両側段部３２ｂの略中央部に設けられている。突起部７１は、例えば略半円状に形成されている。受け部７２は、取付部材４の取付片４２ａの傾斜部４２ｂの略中央部に凸状に形成されており、圧縮コイルスプリング２１の付勢力によって、支持部材５が最大使用開放位置から最大開放位置までの間に位置されているときに、突起部７１が受け部７２に当接して押圧されるようになっている（図３〜図６参照）。
【００２５】
このように、圧縮コイルスプリング２１の付勢力によって突起部７１が受け部７２に当接して押圧されることにより、支持部材５（原稿圧着板３）が最大開放位置（図５及び図６参照）から最大使用開放位置（図３及び図４参照）へと回動するとき、支持部材５（原稿圧着板３）に作用するトルクが大きくなる。従って、この発明の原稿圧着板開閉装置１は、原稿圧着板３が最大開放位置から最大使用開放位置へと倒れる際の速度を緩和することができる。
【００２６】
また、第２スライダー３２の両側段部３２ｂの支持部材５の上板５１側には、湾曲状に窪んだ凹部３６が設けられている。この凹部３６は、取付部材４の取付片４２ａの先端部が面接触する凹状に形成されている。この凹部３６は、支持部材５（原稿圧着板３）が最大開放位置（図５及び図６参照）に達したとき、取付片４２ａの先端部が面接触するように形成されている。これにより、支持部材５（原稿圧着板３）が最大使用開放位置（図３及び図４参照）から最大開放位置（図５及び図６参照）へと回動したとき、取付片４２ａの先端部が面接触するので、支持部材５（原稿圧着板３）が安定した状態で立たせることができる。
【００２７】
また、この発明の原稿圧着板開閉装置１は、厚さに関係なく原稿を装置本体２の上面に安定して密着させることができる。
【００２８】
すなわち、圧縮コイルスプリング２１の付勢力によってリフト部材６の上板６１が支持部材５の当接部５５に当接して、支持部材５の上板５１とリフト部材６の上板６１とが略平行で、かつ近接するので、リフト部材６の後端部が下方に回動することがない。このため、原稿圧着板３を持ち上げて装置本体２の上面のコンタクトガラス２ａ面に原稿を載置する場合、通常、原稿圧着板３のリフト部材６が取り付けられている箇所とは反対側の端部又はその近傍等に設けられている把持部を持って原稿圧着板３を上方に持ち上げると、原稿圧着板３は第１ヒンジピン１１を軸にのみ回動してコンタクトガラス２ａ面が外部に露出する。その露出したコンタクトガラス２ａの面上に原稿を載置する。この際に原稿の端部が固定ピン１３の側の方へはみ出しても、延出片３８によってグリスが塗布されている固定ピン１３に接触することを防止できる。
【００２９】
載置後、持ち上げた原稿圧着板３を降ろすと、原稿圧着板３はコンタクトガラス２ａ面と接触する方向に第１ヒンジピン１１を軸に回動する（下方に移動する）。このとき、圧縮コイルスプリング２１の付勢力によってリフト部材６の上板６１が支持部材５の当接部５５に当接した状態のまま、つまり、原稿圧着板３（リフト部材６）が第２ヒンジピン１２を軸に回動することないまま、原稿圧着板３が移動する。
【００３０】
このとき、コンタクトガラス２ａ面に載置されている原稿が紙のように厚さが薄い場合には、原稿圧着板３は、紙に接触するときには面接触する。その結果、原稿の全体が原稿圧着板３に接触して原稿がコンタクトガラス２ａ面に押し付けられるので、原稿が安定してコンタクトガラス２ａ面に密着することになる。そして、この際に、原稿圧着板３によって押圧されることによって変形した原稿の端部が固定ピン１３側へはみ出しても、その端部は延出片３８によってグリスが塗布されている固定ピン１３に接触することがない。
【００３１】
原稿が図７に示すように本のように厚さが厚い場合、原稿圧着板３を回動させる（下方に移動させる）と、原稿８０の支持部材５側の端部８０ａ又はその近傍に原稿圧着板３の支持部材５の近傍の一部が接触し、原稿８０の支持部材５側の端部とは反対側の端部と原稿圧着板３との間に空間が形成される。すなわち、把持部側の端部の原稿圧着板３は浮いた状態となる。その浮いている原稿圧着板３の例えば把持部側の端部近傍をコンタクトガラス２ａ面側に押圧すると、作動ピン１４が第１スライダー３１を第２スライダー３２側に押圧して圧縮コイルスプリング２１の付勢力に抗して第１スライダー３１が第２スライダー３２側に移動すると共に、原稿圧着板３（リフト部材６）が第２ヒンジピン１２を軸に回動する。すなわち、原稿８０の上部を覆うように原稿圧着板３が移動する。例えば、その原稿８０の上部が平坦面である場合には、この上部に原稿圧着板３が面接触する。よって、厚さが厚い原稿８０が安定してコンタクトガラス２ａ面に密着することになる。
【００３２】
従って、この発明の原稿圧着板開閉装置１は、厚さに関係なく原稿を装置本体２の上面に安定して密着させることができる。この原稿が本のような厚物原稿であっても、原稿圧着板３の開閉時に延出片３８が固定ピン１３の外周を覆うので、厚物原稿の端部がグリスが附着している固定ピン１３に接触して汚れてしまうことはない。
【産業上の利用可能性】
【００３３】
以上詳細に説明したようにこの発明は、簡単な構成で、とくに複写機の原稿自動送り装置付きの重量のある原稿圧着板開閉装置に実施して好適である。
【符号の説明】
【００３４】
１    原稿圧着板開閉装置
２    装置本体
２ａ  コンタクトガラス
３    原稿圧着板
４    取付部材
５    支持部材
６    リフト部材
７    トルク発生手段
１１  第１ヒンジピン
１２  第２ヒンジピン
１３  固定ピン
１４  作動ピン
２１  圧縮コイルスプリング
３１  第１スライダー
３２  第２スライダー
３８  延出片
４１  底板
４２  両側板
４４  湾曲凹部
５１  上板
５２  両側板
５３  抱持片
６１  上板
６２  両側板
７１  突起部
７２  受け部
【図１】
0005645227.tif 000002
【図２】
0005645227.tif 000003
【図３】
0005645227.tif 000004
【図４】
0005645227.tif 000005
【図５】
0005645227.tif 000006
【図６】
0005645227.tif 000007
【図７】
0005645227.tif 000008
【図８】
0005645227.tif 000009
【図９】
0005645227.tif 000010